(57)【要約】【課題】長く使用でき、耐久性に優れたボールバットを提供する。【解決手段】ボールバットの先端から打球部２と、テーパー部３と、第１のグリップ部４とが、軸線Ｘに連ねて長く延びて一体的に構成され、第２のグリップ部５はかかる一体構成と別体のものであり、スリーブユニット６は第１のグリップ部４のグリップ下側部４１から突き出て形成された連結筒部６１と、連結筒部６１が挿入されて配置されるように第２のグリップ部５の上端面５１から底部５２に貫通して形成された孔部６２とが設けられ、締付ユニット７は、孔部６２に空間的に連通するように第２のグリップ部５に形成された締付孔７１と、締付孔７１の手元側開口の外側に設けられた当て面７２と、締付孔７１に挿入して当て面７２と抵触して連結筒部６１に着脱可能に固定される第１の締め部材７３とを有する。【選択図】図１
0003177460.tif 000002
【実用新案登録請求の範囲】
【請求項１】
所定の軸線方向に沿って長手状に延伸されて形成された打球部と、
前記打球部の下端側より前記軸線方向の手元側に向かって外径が漸減するように形成されたテーパー部と、
前記テーパー部の下端側より前記軸線方向の手元側に向かって延びており、前記軸線に対して垂直な断面がほぼ円形状をなした下端面を含むグリップ下側部を有する第１のグリップ部と、
前記軸線に沿って前記第１のグリップ部と相対して設けられ、前記グリップ下側部の下端面と対応して接触可能なほぼ円形状の上端面を含むグリップ上側部と、前記手元側の底部を含むエンド側部とを有する第２のグリップ部と、
前記グリップ下側部から前記手元側に向かって延伸されて前記軸線の周りに形成された連結筒部と、前記連結筒部が挿入されて配置されるように前記第２のグリップ部の上端面から前記底部に貫通して形成された孔部とを設けているスリーブユニットと、
前記軸線に沿って延びて前記孔部に空間的に連通するように前記第２のグリップ部に形成された締付孔と、前記締付孔の手元側開口の外側に設けられた当て面と、前記締付孔に挿入して前記当て面と抵触して前記連結筒部に着脱可能に固定される第１の締め部材とを有する締付ユニットと、を備えていることを特徴とするボールバット。
【請求項２】
前記連結筒部は、前記第１のグリップ部から延伸されて前記軸線と垂直な断面における少なくとも２つの対向する辺が直線且つ前記軸線に対して対称的に形成された定位部を有し、
前記孔部は、前記定位部に対応して前記定位部が挿入されて定位されるように形成された定位孔部を有することを特徴とする請求項１に記載のボールバット。
【請求項３】
前記定位部の前記断面が正方形であることを特徴とする請求項２に記載のボールバット。
【請求項４】
前記軸線に沿って延伸されて前記打球部と前記テーパー部と前記第１のグリップ部内に設けられ中空筒状に構成された強化管が更に設けられ、
前記強化管は前記連結筒部と強化繊維材料で一体的に構成され、
前記締付ユニットは前記定位部内に前記第１の締め部材と互いに結合係止可能に設けられた第２の締め部材を更に有することを特徴とする請求項２に記載のボールバット。
【請求項５】
前記第１の締め部材としては、その外周面にねじ山が形成されたねじ棒と、前記当て面に抵触して定位されるように前記ねじ棒よりも径大な頭部とを有するボルトを用い、
前記第２の締め部材としてはナットを用いることを特徴とする請求項４に記載のボールバット。
【請求項６】
前記エンド側部は、前記軸線と垂直な第１の平面に対して傾いた第２の平面を含むように構成され、前記第２の平面の上側に前記グリップ上側部の外周面と連なったトップ環状面と、前記第２の平面の下側において前記トップ環状面と連なった環状面部と前記環状面部と連なった前記底部の底面とを含むボトム面と、前記トップ環状面と前記ボトム面との間を連結するミドル環状面とを有することを特徴とする請求項５に記載のボールバット。
【請求項７】
前記第２の平面は、前記軸線よりずれる軸を中心として前記軸線に対して傾いて交わった長軸と前記長軸と垂直な短軸とを有するほぼ楕円形状に形成されていることを特徴とする請求項６に記載のボールバット。
【請求項８】
前記グリップ上側部のエンド側部側は、前記長軸方向沿いの寸法が前記短軸方向沿いの寸法よりも大きいように前記軸線よりずれる軸中心を含む、前記軸線と垂直なほぼ楕円形状面を含むように構成されていることを特徴とする請求項７に記載のボールバット。
【請求項９】
前記トップ環状面は前記グリップ上側部と連なって前記グリップ上側部よりも径大に形成され、
前記ミドル環状面は前記トップ環状面と連なって前記軸線に対して窪んで凹弧状に形成され、
前記ボトム面の環状面部は、前記ミドル環状面に連なって前記ミドル環状面に対して凸弧状に形成され、前記底面は下側に凸弧状に形成されていることを特徴とする請求項６に記載のボールバット。
【請求項１０】
前記グリップ上側部が４〜７インチの長さを有することを特徴とする請求項１に記載のボールバット。
【考案の詳細な説明】
【技術分野】
【０００１】
本考案は、打撃領域を替えることができるボールバットに関する。
【背景技術】
【０００２】
従来、例えば図６に示されているようなボールバットが知られている（例えば特許文献１参照）。このボールバットは、所定の軸線Ｘに沿って連続して一体に構成されてなる、打球部１１と、打球部１１より漸減する外径を有するテーパー部１２と、テーパー部１２と連結されている上部グリップ部１３と、軸線Ｘからずれて一側に突き出るように偏った非対称的な横断面を有する下部グリップ部１４とをそなえている。打球部１１の打撃領域１５としては、図７に示されているように、非対称的な下部グリップ部１４の突き出た側に向かうように配置されている。このボールバットの下部グリップ１４は、人体工学デザインに基づいて非対称形状に形成されているので、通常の対称形状に形成されたグリップ部を備えたボールバットに比べて、フィット感が優れており持ちやすいので、把持の疲れを軽減し、且つ打撃力をも増すことができる。このことから、とりわけ長時間打球を行う打者から支持を受けている。
【０００３】
一方、打撃領域を変えることができるボールバットがすでに提案されている（例えば特許文献２、３参照）。
【先行技術文献】
【特許文献】
【０００４】
【特許文献１】米国特許７，８７８，９３０号公報
【特許文献２】米国特許６，７５２，７３１号公報
【特許文献３】米国特許５，０１１，１４５号公報
【考案の概要】
【考案が解決しようとする課題】
【０００５】
しかしながら、かかる特許文献１においては、非対称形状に形成された下部グリップ部１４によって、把持の向きも限られてしまうため、打球部１１の打撃領域１５が大きく制限される。そのため、繰り返しの打球によってボールバットに損傷をきたし、耐久性に劣る問題点がある。
【０００６】
また、かかる特許文献２、３においては、スリーブ部材がグリップ部の周りに装着されているため、グリップ部が太くなり、把持しにくく把持力が弱まる問題点がある。
そこで本考案は、長く使用でき、耐久性に優れたボールバットを提供することを目的とする。
【課題を解決するための手段】
【０００７】
上記目的を達成すべく、本考案は、所定の軸線方向に沿って長手状に延伸されて形成された打球部と、前記打球部の下端側より前記軸線方向の手元側に向かって外径が漸減するように形成されたテーパー部と、前記テーパー部の下端側より前記軸線方向の手元側に向かって延びており、前記軸線に対して垂直な断面がほぼ円形状をなした下端面を含むグリップ下側部を有する第１のグリップ部と、前記軸線に沿って前記第１のグリップ部と相対して設けられ、前記グリップ下側部の下端面と対応して接触可能なほぼ円形状の上端面を含むグリップ上側部と、前記手元側の底部を含むエンド側部とを有する第２のグリップ部と、前記グリップ下側部から前記手元側に向かって延伸されて前記軸線の周りに形成された連結筒部と、前記連結筒部が挿入されて配置されるように前記第２のグリップ部の上端面から前記底部に貫通して形成された孔部とを設けているスリーブユニットと、前記軸線に沿って延びて前記孔部に空間的に連通するように前記第２のグリップ部に形成された締付孔と、前記締付孔の手元側開口の外側に設けられた当て面と、前記締付孔に挿入して前記当て面と抵触して前記連結筒部に着脱可能に固定される第１の締め部材とを有する締付ユニットと、を備えていることを特徴とするボールバットを提供する。
【考案の効果】
【０００８】
本考案に係るボールバットは、スリーブユニットに対して締付ユニットが着脱可能に結合されることができるので、第１のグリップ部に対して第２のグリップ部が回転することができる。これによって、損壊を受けた打撃領域を新しい打撃領域に替えることができ、使用期間を延ばすことができる。
【図面の簡単な説明】
【０００９】
【図１】本考案に係るボールバットの一実施例を示す分解斜視図である。
【図２】図１のボールバットの組合せ縦断面図である。
【図３】ボールバットの一部を拡大して示す縦断面図である。
【図４】図３においてIV−IV線における横断面図である。
【図５】図３においてＶ−Ｖ線における横断面図である。
【図６】従来のボールバットの一例を示す縦断面図である。
【図７】図６においてV11−VII線における横断面図である。
【考案を実施するための形態】
【００１０】
以下、本考案に係るボールバットの一実施の形態を添付図面を参照して説明する。なお、各図面は例示と説明のためだけに提供されており、本考案を制限することが意図されていないことは特に理解されるべきである。
【００１１】
図１は、本考案に係るボールバットの一例を示す斜視図、図２は図１のボールバットの縦断面図である。図中、本考案に係るボールバットは、打球部２と、テーパー部３と、第１のグリップ部４と、第２のグリップ部５と、スリーブユニット６と、締付ユニット７と、強化管８をそなえている。
【００１２】
打球部２は、ボールバットの先端側より手元側に向かう軸線Ｘに沿って長く延伸されており、打球部２の外周面に複数の打撃領域Ｓ（図４参照）が設けられている。なお、打球を行えるように、複数の打撃領域Ｓにおける１つが所定の向きに向かうように配置される。
【００１３】
テーパー部３は、打球部２の下端側より軸線Ｘ方向の手元側に向かって漸減する外径を有する。
【００１４】
第１のグリップ部４は、テーパー部３の下端側より軸線Ｘ方向の手元側に向かって延びており、軸線Ｘと垂直の断面がほぼ円形状をなす下端面を含むグリップ下側部４１を有する。
【００１５】
また、ボールバットはその先端から打球部２と、テーパー部３と、第１のグリップ部４とを、軸線Ｘに連なって長く延びるように例えば木材或いはアルミニウム合金を用いて一体的に構成されてなる。
【００１６】
第２のグリップ部５は、例えば繊維強化プラスチック（ＦＲＰ）より作られた、ボールバットにおける一体的な構成とは別体の構成部材であって、第１のグリップ部４のグリップ下側部４１の下端面と対応して接触可能なほぼ円形状の上端面５１を含むグリップ上側部５３と、グリップ上側部５３と反対側のボールバットの底部５２を含むエンド側部５４とを有する。
【００１７】
グリップ上側部５３のエンド側部５４側は、軸線Ｘよりずれる軸中心を含む、軸線Ｘと垂直なほぼ楕円形状面を含むように構成されている。また、グリップ上側部５３の長さは、通常片手持ちが可能であるように例えば４〜７インチを有する。
【００１８】
エンド側部５４は、軸線Ｘと垂直な平面（第１の平面、図示せず）に対して傾いた平面Ｅ（第２の平面）を含むように構成されており、平面Ｅの上側にグリップ上側部５３の外周面と連なったトップ環状面５４１と、平面Ｅの下側においてトップ環状面５４１と連なった環状面部５４２１と環状面部５４２１と連なった底部５２の底面５４２２とを含むボトム面５４２と、トップ環状面５４１とボトム面５４２との間を連結するミドル環状面５４３とを有する。トップ環状面５４１は、グリップ上側部５３と連なってグリップ上側部５３よりも径大に形成され、ミドル環状面５４３は、トップ環状面５４１と連なってトップ環状面５４１よりも径大に形成されていると共に軸線Ｘに対して窪んで凹弧状に形成され、ボトム面５４２の環状面部５４２１は、ミドル環状面５４３と連なってミドル環状面５４３に対して凸弧状に形成され、底面５４２２は下側に凸弧状に形成されている。
【００１９】
この例において、平面Ｅとしては、図５に示されているように、軸線Ｘよりずれる軸を中心として軸線Ｘに対して傾いて交わった長軸Ａと、長軸Ａと垂直な短軸Ｂとを有するほぼ楕円形状に形成されている。また、グリップ上側部５３としては、その長軸Ａ方向沿いの寸法が短軸Ｂ方向沿いの寸法よりも大きいように構成される。
【００２０】
スリーブユニット６は、図１に示されているように、第１のグリップ部４のグリップ下側部４１から手元側に向かって延伸されて軸線Ｘの周りに形成された連結筒部６１と、連結筒部６１が挿入されて配置されるように第２のグリップ部５の上端面５１から底部５２の底面に貫通して形成された孔部６２とを設けている。
【００２１】
連結筒部６１は、第１のグリップ部４とつながって軸線Ｘと垂直な横断面が円形状に形成されたストレート部６１１と、ストレート部６１１と連なって形成された定位部６１２とを有する。
【００２２】
定位部６１２は、打球部２に４つ又はこれ以上の打撃領域Ｓを分けることができるように、図４に示されているように、軸線Ｘと垂直な断面における少なくとも２つの対向する辺６１３が直線且つ軸線Ｘに対して対称的に形成され、一例として正方形断面を有するように形成されている。なお、打撃領域Ｓを増やすために、正方形ではなく、正六辺形、正八辺形などに形成してもよい。なお、場合によって打撃領域Ｓを少なく形成してもよい。
【００２３】
孔部６２は、ストレート部６１１が挿入されるストレート孔部６２１と、ストレート孔部６２１とつながって定位部６１２の所定形状の横断面に対応して形成された横断面を有するように定位部６１２の外形に対応して形成された定位孔部６２２とを有する。
【００２４】
締付ユニット７は、軸線Ｘに沿って延びて孔部６２に空間的に連通するように第２のグリップ部５に形成された締付孔７１と、締付孔７１の手元側開口の外側に設けられた当て面７２と、第１の締め部材７３と、定位部６１２内に第１の締め部材７３と互いに結合係止可能に設けられた第２の締め部材７４とを有する。
【００２５】
第１の締め部材７３としては、締付孔７１に挿入して連結筒部６１に固定されるように外周面にねじ山が形成されたねじ棒７３１と、当て面７２に抵触して定位されるようにねじ棒７３１よりも径大な頭部７３２とを有する。この例において、互いに螺結できるように第１の締め部材７３としてはボルト、第２の締め部材７４としてはナットを用いる。なお、締付孔７１は第２のグリップ部５において孔部６２より当て面７２に貫通して設けられる。底部５２に第１の締め部材７３の頭部７３２が挿通される挿通孔が締付孔７１に連通して設けられている。
【００２６】
強化管８は、軸線Ｘに沿って延伸されて打球部２とテーパー部３と第１のグリップ部４との一体構造内に設けられて中空筒状に構成されたものである。この例において強化管８は連結筒部６１とカーボン繊維などの強化繊維材料で一体的に構成されている。
次に、以上によって構成された本考案に係るボールバットの作用及び効果について説明する。
【００２７】
図３と図４を参照すると、打球部２の複数の打撃領域Ｓにおける１つが例えば繰り返しの打撃により損傷を受けた時、連結筒部６１内における第２の締め部材７４と結合されている第１の締め部材７３を第２の締め部材７４から取り外し、定位部６１２をスライド移動させて定位孔部６２２から離してから、第２のグリップ部５を回す。損傷を受けた打撃領域Ｓを替えると共に別の打撃領域Ｓを所定の打球向きになるように選定して回してから、定位部６１２を再びスライド移動させて定位孔部６２２に挿入し、第１の締め部材７３を第２の締め部材７４にねじ留めして定位させる。このようにすると、別の打撃領域Ｓを所定の打球向きに回して損傷を受けた打撃領域Ｓの替わりにすることができる。
【００２８】
以上のように、本考案に係るボールバットは、スリーブユニット６に対して締付ユニット７が着脱可能に結合されることができるので、打球部２とテーパー部３と第１のグリップ部４との一体構成に対して第２のグリップ部５が回転することができる。これによって、打球部２とテーパー部３と第１のグリップ部４との一体構成に対して第２のグリップ部５を回すことができるので、損壊を受けた打撃領域Ｓを新しい打撃領域Ｓに替えることができ、使用期間を延ばすことができる。また、打撃領域Ｓを替えるために従来技術のようにグリップ部の周りにスリーブ部材を装着する必要がないため、グリップ部が太くならずにすむ。また、カーボン繊維などの強化繊維材料を用いてなった強化管８が、連結筒部６１と一体的に構成されており且つ、打球部２とテーパー部３と第１のグリップ部４との一体構成内に配置されていると共に第２のグリップ部５まで延伸されるように配置されているので、打球時の衝撃に耐えることができ、使用耐久性の向上を図ることができる。
【００２９】
なお、第２のグリップ部５は、ボールバットの軸線Ｘからずれてその一側に突き出て偏るように非対称的に形成されているが、軸線Ｘに対して対称的に形成されてもよい。
また、スリーブユニット６はストレート部６１１がなく全て多角面部に形成された定位部６１２として構成されてもよい。この場合、孔部６２においては、多角面部である定位部６１２に対応して挿入される定位孔部６２２だけが形成されればよい。
【産業上の利用可能性】
【００３０】
本考案に係るボールバットは、繰り返し打球を行うことができるボールバットに有用である。
【符号の説明】
【００３１】
２  打球部
３  テーパー部
４  第１のグリップ部
４１  グリップ下側部
５  第２のグリップ部
５１  上端面
５２  底部
５３  グリップ上側部
５４  エンド側部
５４１  トップ環状面
５４２  ボトム面
５４２１  環状面部
５４２２  底面
５４３  ミドル環状面
６  スリーブユニット
６１  連結筒部
６１１  ストレート部
６１２  定位部
６１３  （２つの対向する）辺
６２  孔部
６２１  ストレート孔部
６２２  定位孔部
７  締付ユニット
７１  締付孔
７２  当て面
７３  第１の締め部材
７３１  ねじ棒
７３２  頭部
７４  第２の締め部材
８  強化管
Ａ  長軸
Ｂ  短軸
Ｅ  平面
Ｓ  打撃領域
Ｘ  軸線
【図１】
0003177460.tif 000003
【図２】
0003177460.tif 000004
【図３】
0003177460.tif 000005
【図４】
0003177460.tif 000006
【図５】
0003177460.tif 000007
【図６】
0003177460.tif 000008
【図７】
0003177460.tif 000009